(57)【要約】【課題】１つの接続用パスワードと接続先のコンピュータの個体番号と装置自身の個体番号とを用いて計算した認証用パスワードとコンピュータの固有番号との組み合わせで接続先のコンピュータを識別し、セキュリティを向上する。【解決手段】無線携帯端末１０の制御部１１は、自身の個体番号とＰＣ２０の個体番号と接続用パスワードとを用いて、認証用パスワードを計算する。続いて、認証用パスワードとＰＣ２０の個体番号との組み合わせが、データベース部１５内のリストにあるかどうかを判定する。この組み合わせは、初期使用時にデータベース部１５内のリストに登録されている。制御部１１は、認証用パスワードとＰＣ２０の個体番号との組み合わせが、データベース部１５内のリストにあると判定されたときは、ＰＣ２０との接続を許可する。これにより、データベース部１５内の記憶情報をＰＣ２０により閲覧することができる。【選択図】図１
2010177721.tif 000002
【特許請求の範囲】
【請求項１】
入力された接続用パスワードが記憶された値と一致するか否かを判定する判定ステップと、
前記判定ステップにより一致の判定結果が得られたときは、無線携帯端末装置の固有の識別番号である第１の個体番号と、前記無線携帯端末装置に接続されるコンピュータの固有の識別番号である第２の個体番号と、前記接続用パスワードとから認証用パスワードを計算する計算ステップと、
計算された前記認証用パスワードと前記第２の個体番号との組み合わせを、前記無線携帯端末装置の記憶手段に記憶する記憶ステップと
を初期使用時に行うことを特徴とする無線携帯端末装置のセキュリティ設定方法。
【請求項２】
入力された接続用パスワードが記憶された値と一致するか否かを判定する判定ステップと、
前記判定ステップにより一致の判定結果が得られたときは、無線携帯端末装置の固有の識別番号である第１の個体番号と、前記無線携帯端末装置に接続されるコンピュータの固有の識別番号である第２の個体番号と、前記接続用パスワードとから認証用パスワードを計算する計算ステップと、
計算された前記認証用パスワードと前記第２の個体番号との組み合わせを、前記無線携帯端末装置の記憶手段に記憶すると共に、前記無線携帯端末装置から外部記憶手段に前記第２の個体番号を送信して登録する記憶・登録ステップと、
前記判定ステップにより所定回数以上連続して不一致の判定結果が得られたときは、前記無線携帯端末装置による前記外部記憶手段へのアクセスを不許可とする不許可ステップと
を初期使用時に行うことを特徴とする無線携帯端末装置のセキュリティ設定方法。
【請求項３】
通常使用時において、固有の識別番号である第１の個体番号を有する無線携帯端末装置をコンピュータに接続して、そのコンピュータの固有の識別番号である第２の個体番号を取得する個体番号取得ステップと、
接続用パスワードの入力を要求する入力要求ステップと、
入力された前記接続用パスワードと、前記第１及び第２の個体番号とから認証用パスワードを計算する第１の計算ステップと、
計算された前記認証用パスワードと前記第２の個体番号との組み合わせが、前記無線携帯端末装置の記憶手段に記憶されているかどうかを判定する第１の判定ステップと、
前記第１の判定ステップにより前記組み合わせが前記無線携帯端末装置の記憶手段に記憶されているとの判定結果が得られたときは、前記無線携帯端末装置の前記記憶手段の内容を前記コンピュータにより閲覧可能な接続を許可する許可ステップと、
前記第１の判定ステップにより前記組み合わせが前記無線携帯端末装置の記憶手段に記憶されていないとの判定結果が得られたときは、前記入力要求ステップと前記第１の計算ステップと前記第１の判定ステップとを再度実行し、その実行回数が連続して所定回数に達した時点でも前記第１の判定ステップにより前記組み合わせが前記無線携帯端末装置の記憶手段に記憶されていないとの判定結果が得られたときは、前記無線携帯端末装置の前記記憶手段の内容を前記コンピュータにより閲覧可能な接続を不許可とする不許可ステップと
を含むことを特徴とする無線携帯端末装置のセキュリティ設定方法。
【請求項４】
前記個体番号取得ステップで取得した前記第２の個体番号が前記無線携帯端末装置の記憶手段に記憶されているかどうかを判定し、前記第２の個体番号が記憶されているとの判定結果が得られたときは、前記入力要求ステップにより前記接続用パスワードの入力を要求させる第２の判定ステップと、
前記第２の判定ステップにより前記第２の個体番号が記憶されていないとの判定結果が得られたときは、前記接続用パスワードの入力を要求させて入力された接続用パスワードが記憶された値と一致するか否かを判定する第３の判定ステップと、
前記第３の判定ステップにより一致の判定結果が得られたときは、前記第１の個体番号と前記第２の個体番号と前記接続用パスワードとから認証用パスワードを計算する第２の計算ステップと、
前記第２の計算ステップで計算された前記認証用パスワードと前記第２の個体番号との組み合わせを、前記無線携帯端末装置の記憶手段に記憶する記憶ステップと
を更に含むことを特徴とする請求項３記載の無線携帯端末装置のセキュリティ設定方法。
【請求項５】
前記接続用パスワードと一致するかどうか判定される前記記憶された値は、前記無線携帯端末装置の製造段階で前記記憶手段に予め記憶された設定値であることを特徴とする請求項１乃至４のうちいずれか一項記載の無線携帯端末装置のセキュリティ設定方法。
【請求項６】
前記接続用パスワードと一致するかどうか判定される前記記憶された値を任意の値に変更して前記記憶手段に更新登録する変更ステップと、
前記変更ステップで変更された前記記憶された値と前記第１及び第２の個体番号とを用いて認証用パスワードを計算する認証用パスワード計算ステップと、
前記認証用パスワード計算ステップで計算された前記認証用パスワードを前記記憶手段に更新登録する更新登録ステップと
を更に含むことを特徴とする請求項１乃至４のうちいずれか一項記載の無線携帯端末装置のセキュリティ設定方法。
【請求項７】
初期使用時に入力された接続用パスワードが記憶された値と一致するか否かを判定する判定手段と、
前記判定手段により一致の判定結果が得られたときは、固有の識別番号である第１の個体番号と、接続されるコンピュータの固有の識別番号である第２の個体番号と、前記接続用パスワードとから認証用パスワードを計算する計算手段と、
計算された前記認証用パスワードと前記第２の個体番号との組み合わせを記憶する記憶手段と
を有することを特徴とする無線携帯端末装置。
【請求項８】
初期使用時に入力された接続用パスワードが記憶された値と一致するか否かを判定する判定手段と、
前記判定手段により一致の判定結果が得られたときは、固有の識別番号である第１の個体番号と、接続されるコンピュータの固有の識別番号である第２の個体番号と、前記接続用パスワードとから認証用パスワードを計算する計算手段と、
計算された前記認証用パスワードと前記第２の個体番号との組み合わせを記憶する記憶手段と、
外部記憶手段と通信し、前記第２の個体番号を送信して前記外部記憶手段に登録する通信手段と、
前記判定手段により所定回数以上連続して不一致の判定結果が得られたときは、前記通信手段による前記外部記憶手段へのアクセスを不許可とする不許可手段と
を有することを特徴とする無線携帯端末装置。
【請求項９】
固有の識別番号である第１の個体番号を有する携帯無線端末装置であって、
記憶手段と、
通常使用時においてコンピュータに接続して、そのコンピュータの固有の識別番号である第２の個体番号を取得する個体番号取得手段と、
接続用パスワードの入力を要求する入力要求手段と、
入力された前記接続用パスワードと、前記第１及び第２の個体番号とから認証用パスワードを計算する第１の計算手段と、
計算された前記認証用パスワードと前記第２の個体番号との組み合わせが、前記記憶手段に記憶されているかどうかを判定する第１の判定手段と、
前記第１の判定手段により前記組み合わせが前記記憶手段に記憶されているとの判定結果が得られたときは、前記記憶手段の内容を前記コンピュータにより閲覧可能な接続を許可する接続許可手段と、
前記第１の判定手段により前記組み合わせが前記記憶手段に記憶されていないとの判定結果が得られたときは、前記入力要求手段と前記第１の計算手段と前記第１の判定手段による各処理を再度実行し、その実行回数が連続して所定回数に達した時点でも前記第１の判定手段により前記組み合わせが前記記憶手段に記憶されていないとの判定結果が得られたときは、前記記憶手段の内容を前記コンピュータにより閲覧可能な接続を不許可とする不許可手段と
を有することを特徴とする無線携帯端末装置。
【請求項１０】
前記個体番号取得手段で取得した前記第２の個体番号が前記記憶手段に記憶されているかどうかを判定し、前記第２の個体番号が記憶されているとの判定結果が得られたときは、前記入力要求手段により前記接続用パスワードの入力を要求させる第２の判定手段と、
前記第２の判定手段により前記第２の個体番号が記憶されていないとの判定結果が得られたときは、前記接続用パスワードの入力を要求させて入力された接続用パスワードが記憶された値と一致するか否かを判定する第３の判定手段と、
前記第３の判定手段により一致の判定結果が得られたときは、前記第１の個体番号と前記第２の個体番号と前記接続用パスワードとから認証用パスワードを計算する第２の計算手段と、
前記第２の計算手段で計算された前記認証用パスワードと前記第２の個体番号との組み合わせを前記記憶手段に登録する組み合わせ登録手段と
を更に有することを特徴とする請求項９記載の無線携帯端末装置。
【請求項１１】
前記接続用パスワードと一致するかどうか判定される前記記憶された値は、前記無線携帯端末装置の製造段階で前記記憶手段に予め記憶された設定値であることを特徴とする請求項７乃至１０のうちいずれか一項記載の無線携帯端末装置。
【請求項１２】
前記接続用パスワードと一致するかどうか判定される前記記憶された値を任意の値に変更して前記記憶手段に更新登録する変更手段と、
前記変更手段で変更された前記記憶された値と前記第１及び第２の個体番号とを用いて認証用パスワードを計算する認証用パスワード計算手段と、
前記認証用パスワード計算手段で計算された前記認証用パスワードを前記記憶手段に更新登録する更新登録手段と
を更に有することを特徴とする請求項７乃至１０のうちいずれか一項記載の無線携帯端末装置。
【発明の詳細な説明】
【技術分野】
【０００１】
本発明は無線携帯端末装置のセキュリティ設定方法及び無線携帯端末装置に係り、特に携帯電話機等の無線携帯端末装置のセキュリティ設定方法及び無線携帯端末装置に関する。
【背景技術】
【０００２】
携帯電話機等の無線携帯端末装置は、ユーザが携行して所望の場所や時間にて通信が可能な極めて利便性が高い装置である反面、その携帯性及び近年の益々の小型化などの点から紛失し易いという問題がある。紛失した無線携帯端末装置は、その内部に記憶されている個人情報が第三者に盗用や悪用される恐れがあるため、無線携帯端末装置のセキュリティが必要となる。また、無線携帯端末装置は、無線ＬＡＮ（ローカル・エリア・ネットワーク）やブルーツース（Bluetooth）といった無線通信システムに使用可能であり、その無線通信システムでは、第三者による無線の傍受が問題となる。
【０００３】
そこで、特許文献１には、無線携帯端末装置が、自身が有する機器固有情報を用いて無線通信を行う際のデータ暗号キーを作成し、その暗号キーを設定することで第三者による傍受を防止するセキュリティを維持する無線携帯端末装置が開示されている。
【先行技術文献】
【特許文献】
【０００４】
【特許文献１】特開２００３−１１０５４３号公報
【発明の概要】
【発明が解決しようとする課題】
【０００５】
しかしながら、無線携帯端末装置を紛失した場合は、無線携帯端末装置の内部に記憶されている個人情報を、第三者がパーソナルコンピュータを用いて読み出し、盗用や悪用される恐れがある。この場合は、暗号通信を行うわけではないので、特許文献１記載の方法では対応できない。また、パスワードを設定したとしても、そのパスワードは接続先のパーソナルコンピュータには依存しない簡易なパスワードが存在するだけであり、パーソナルコンピュータ接続に対するセキュリティは不十分である。
【０００６】
本発明は以上の点に鑑みなされたもので、１つの接続用パスワードと接続先のコンピュータの個体番号と装置自身の個体番号とを用いて計算した認証用パスワードとコンピュータの固有番号との組み合わせで接続先のコンピュータを識別することができ、セキュリティを向上した無線携帯端末装置のセキュリティ設定方法及び無線携帯端末装置を提供することを目的とする。
【課題を解決するための手段】
【０００７】
上記の目的を達成するため、本発明の無線携帯端末装置のセキュリティ設定方法は、入力された接続用パスワードが記憶された値と一致するか否かを判定する判定ステップと、判定ステップにより一致の判定結果が得られたときは、無線携帯端末装置の固有の識別番号である第１の個体番号と、無線携帯端末装置に接続されるコンピュータの固有の識別番号である第２の個体番号と、接続用パスワードとから認証用パスワードを計算する計算ステップと、計算された認証用パスワードと第２の個体番号との組み合わせを、無線携帯端末装置の記憶手段に記憶する記憶ステップとを初期使用時に行うことを特徴とする。
【０００８】
また、上記の目的を達成するため、本発明の無線携帯端末装置は、初期使用時に入力された接続用パスワードが記憶された値と一致するか否かを判定する判定手段と、判定手段により一致の判定結果が得られたときは、固有の識別番号である第１の個体番号と、接続されるコンピュータの固有の識別番号である第２の個体番号と、接続用パスワードとから認証用パスワードを計算する計算手段と、計算された認証用パスワードと第２の個体番号との組み合わせを記憶する記憶手段とを有することを特徴とする。
【発明の効果】
【０００９】
本発明によれば、１つの接続用パスワードと接続先のコンピュータの個体番号と装置自身の個体番号とを用いて計算した認証用パスワードとコンピュータの固有番号との組み合わせで接続先のコンピュータを識別することができるため、コンピュータ接続時のセキュリティを向上できる。
【図面の簡単な説明】
【００１０】
【図１】本発明の無線携帯端末装置のセキュリティ設定方法の一実施形態を説明する構成図である。
【図２】図１の通常使用時の動作説明用フローチャートである。
【図３】図１の初期使用時の動作説明用フローチャートである。
【図４】図１の削除時の動作説明用フローチャートである。
【発明を実施するための形態】
【００１１】
次に、本発明の実施形態について図面を参照して説明する。
【００１２】
図１は、本発明になる無線携帯端末装置のセキュリティ設定方法の一実施形態を説明する構成図を示す。
【００１３】
同図において、本実施形態の無線携帯端末１０は、制御部１１、無線部１２、入力部１３、表示部１４及びデータベース部１５から大略構成されており、例えば携帯電話機である。制御部１１は、中央処理装置（ＣＰＵ）を有し端末全体を統括的に制御する。無線部１２は、最寄りの無線基地局との間で公知の方法で無線通信する。入力部１３は、各種情報を入力する。表示部１４は、制御部１１の制御の下で、文字、図形、記号、画像等を表示する。データベース部１５は、制御部１１の動作用プログラム及び電話帳データなどの他、本実施形態特有の情報である認証用パスワードとパーソナルコンピュータ２０の個体番号の組み合わせのリストを記憶する。
【００１４】
パーソナルコンピュータ（以下、ＰＣ）２０は、無線携帯端末１０との間で有線ケーブル４０を介して接続されて、その個体番号などを無線携帯端末１０へ送信する。なお、無線携帯端末１０及びＰＣ２０は、個人や会社などのユーザが個別に所有する。
【００１５】
これに対し、データベース３０は、通信事業者が所有するもので、多数の契約者に共通のデータベースであり、無線携帯端末毎の記憶部を持ち、その記憶部に接続を許可したＰＣの個体番号のリストを記憶する。無線携帯端末１０とデータベース３０とは、共通鍵方式と公開鍵方式を用いてデータの暗号化／復号化を行うＳＳＨ(Secure Shell)通信等のセキュアな無線通信を行うようになされている。
【００１６】
次に、本実施形態の動作について図２乃至図４のフローチャートを併せ参照して説明する。
【００１７】
まず、通常使用時の動作について図２のフローチャートを参照して説明する。まず、無線携帯端末１０は、有線ケーブル４０によりＰＣ２０と接続され（ステップＳ１）、ＰＣ２０の個体番号を受信する（ステップＳ２）。ＰＣ２０の個体番号としては、例えばＭＡＣ(Media Access Control)アドレスなどがある。続いて、無線携帯端末１０は、受信した個体番号がデータベース部１５に保存されているリストと一致するか確認する（ステップＳ３）。
【００１８】
無線携帯端末１０の最初の使用時には、データベース部１５にはＰＣ２０の固体番号はリストとして保存されていないので、受信した個体番号がリストに一致しないと判定されて後述する初期使用時の処理に進んでリストが保存される。一方、受信した個体番号がデータベース部１５に保存されているリストと一致すると判定された場合は、無線携帯端末１０の制御部１１は表示部１４で接続用パスワードの入力を求める表示を行う。これにより、ユーザにより入力部１３を操作して接続用パスワードが入力される（ステップＳ４）。なお、この接続用パスワードは、１台の無線携帯端末１０に一つのみとする。また、この接続用パスワードは、無線携帯端末１０の製造段階で、個体番号と同様に予め決められた値がデータベース部１５に格納されているが、後述する初期使用時以後はユーザが任意に変更可能であるものとする。
【００１９】
次に、無線携帯端末１０の制御部１１は、自身の固有の識別番号である個体番号と、ステップＳ２で受信したＰＣ２０の個体番号と、ステップＳ４で入力された接続用パスワードとを用いて、認証用パスワードを計算する（ステップＳ５）。なお、上記の無線携帯端末１０の個体番号としては、例えばＩＭＥＩ(International Mobile Equipment Identity:国際携帯電話機識別情報)がある。このステップＳ５により、無線携帯端末１０に固有の認証用パスワードが計算される。
【００２０】
続いて、無線携帯端末１０の制御部１１は、認証用パスワードとＰＣ２０の個体番号との組み合わせが、データベース部１５内のリストにあるかどうかを判定する（ステップＳ６）。この認証用パスワードとＰＣ２０の個体番号との組み合わせは、後述する初期使用時にデータベース部１５内のリストに登録されている。従って、２回目以降のユーザ自身の使用時には、認証用パスワードとＰＣ２０の個体番号との組み合わせが、データベース部１５内のリストにあるとステップＳ６で判定されることになる。
【００２１】
そして、無線携帯端末１０の制御部１１は、認証用パスワードとＰＣ２０の個体番号との組み合わせが、データベース部１５内のリストにあるとステップＳ６で判定されたときは、ＰＣ２０との接続を許可する（ステップＳ７）。これにより、ＰＣ２０を用いて無線携帯端末１０に対してＰＣ２０で作成した各種の情報を記憶したりするなどの応用例が考えられ、またデータベース部１５内の記憶情報をＰＣ２０により閲覧することができる。
【００２２】
一方、無線携帯端末１０の制御部１１は、認証用パスワードとＰＣ２０の個体番号との組み合わせが、データベース部１５内のリストにないとステップＳ６で判定されたときは、変数ｋの値を１インクリメントした後（ステップＳ８）、そのインクリメント後の変数ｋの値が所定値以上であるかを判定する（ステップＳ９）。ステップＳ９でｋの値が所定値未満であると判定されたときには、ステップＳ４に戻り再び接続用パスワードの入力からやり直す。一方、ステップＳ９でｋの値が所定値以上であると判定されたときには、無線携帯端末１０の制御部１１は、ＰＣ２０との接続を不許可とする（ステップＳ１０）。
【００２３】
例えば、無線携帯端末１０のユーザ以外の第三者が無線携帯端末１０を何らかの方法で手に入れて、他のＰＣを用いて無線携帯端末１０のデータベース部１５の記憶内容を閲覧しようとしても、第三者は接続用パスワードが分らず、また、他のＰＣの個体番号もＰＣ２０のそれとは異なるので、ステップＳ６、Ｓ８、Ｓ９により上記所定値の回数、不一致が連続して発生する。その結果、無線携帯端末１０の制御部１１は、ＰＣとの接続を不許可とすることになるので、ＰＣによるデータベース部１５の記憶内容の閲覧ができず、よってセキュリティを確保することができる。
【００２４】
次に、無線携帯端末１０の初期使用時の動作について、図３のフローチャートを参照して説明する。この初期使用時には最初に図２のステップＳ１とＳ２の処理が行われているものとする。
【００２５】
無線携帯端末１０の制御部１１は、まず、データベース３０にＰＣ２０の接続を許可するかをユーザに対して求める表示を表示部１４にて行い、ユーザによる入力部１３の操作による許可入力があるかどうかを監視する（ステップＳ２１）。
【００２６】
許可入力があった場合、無線携帯端末１０の制御部１１は、接続用パスワード入力をユーザに対して求める表示を表示部１４にて行わせる（ステップＳ２２）。これにより、ユーザが入力部１３を操作して接続用パスワードを入力すると、無線携帯端末１０の制御部１１は、その接続用パスワードの入力を検出し（ステップＳ２３）、その入力接続用パスワードが予め製造段階でデータベース部１５に保存されている接続用パスワードと一致するかを判定する（ステップＳ２４）。
【００２７】
無線携帯端末１０の正規の使用者であれば、接続用パスワードは分るので、ステップＳ２４で一致の比較結果が得られる。この一致の比較結果が得られた場合、無線携帯端末１０の制御部１１は、自身の固有の識別番号である個体番号と、ステップＳ２で受信したＰＣ２０の個体番号と、ステップＳ２３で入力されて一致の比較結果が得られた接続用パスワードとを用いて、認証用パスワードを計算する（ステップＳ２５）。そして、制御部１１は、ステップＳ２５で計算した認証用パスワードを、ＰＣ２０の個体番号と対応付けたリストをデータベース部１５に登録する（ステップＳ２６）。これにより、無線携帯端末１０の２回目以降の通常使用時にはステップＳ３で一致の比較結果が得られる。
【００２８】
続いて、無線携帯端末１０の制御部１１は、無線部１２を介してデータベース３０にアクセスしてセキュアな通信を開始する（ステップＳ２７）。続いて、制御部１１は、無線部１２を介してステップＳ２で受信したＰＣ２０の個体番号をデータベース３０に送信してデータベース３０に登録する（ステップＳ２８）。この登録は、データベース３０の無線携帯端末１０に割り当てられた記憶部に行われる。その後、上記のセキュアな通信が終了される（ステップＳ２９）。
【００２９】
一方、ステップＳ２３で入力された接続用パスワードが不一致との比較結果がステップＳ２４で得られた場合は、変数ｊの値を１インクリメントした後（ステップＳ３０）、そのインクリメント後の変数ｊの値が所定値以上であるかを判定する（ステップＳ３１）。ステップＳ３１でｊの値が所定値未満であると判定されたときには、ステップＳ２２に戻り再び接続用パスワードの入力要求表示からやり直す。
【００３０】
他方、ステップＳ３１でｊの値が所定値以上であると判定されたときには、無線携帯端末１０の制御部１１は、データベース３０へのアクセスを不許可とし（ステップＳ３２）、処理を終了する。これにより、ステップＳ３０の所定値の回数、不一致が連続して発生した場合は、無線携帯端末１０からデータベース３０へのアクセスは許可されず、その結果、データベース３０にはＰＣ２０の個体番号が登録されないことになる。
【００３１】
これにより、例えば、無線携帯端末１０のユーザ以外の第三者が無線携帯端末１０を何らかの方法で手に入れて、その第三者使用のＰＣの個体番号をデータベース３０に登録しようとしても、第三者は接続用パスワードが分らず、ステップＳ２４、Ｓ３０、Ｓ３１、Ｓ３２により上記所定値の回数、不一致が連続して発生する。その結果、無線携帯端末１０の制御部１１は、データベース３０とのアクセスを不許可とすることになるので、ＰＣの個体番号のデータベース３０への登録ができず、よってセキュリティを確保することができる。
【００３２】
なお、接続用パスワードは２回目以降の通常使用前にユーザが希望する値に変更することも可能である。この場合、変更後の接続用パスワードをデータベース部１５に更新登録すると共に、その変更後の接続用パスワードと無線携帯端末１０の個体番号とＰＣ２０の個体番号とを用いて計算した認証用パスワードをデータベース部１５に更新登録する。
【００３３】
なお、ステップＳ２５及びＳ２６の処理をステツプＳ２９の処理の後に実行するようにしてもよい。
【００３４】
次に、データベース３０内の個体番号の削除時の動作について、図４のフローチャートを参照して説明する。
【００３５】
無線携帯端末１０の制御部１１は、まず無線部１２を介してデータベース３０との間でセキュアな通信を開始する（ステップＳ４１）。続いて、無線携帯端末１０の制御部１１は、データベース３０に登録されているＰＣ２０の個体番号を削除する（ステップＳ４２）。そして、無線携帯端末１０の制御部１１は、データベース部１５に登録されている認証用パスワードとＰＣ２０の個体番号との組み合わせを削除する（ステップＳ４３）。その後、無線携帯端末１０は、データベース３０との通信を終了する。
【００３６】
以上説明した本実施形態の無線携帯端末１０によれば、１つの接続用パスワードを用いて接続するＰＣ２０に依存した認証用パスワードを計算してＰＣ２０の個体番号との組み合わせをデータベース部１５に記憶し、その認証用パスワードにより接続するＰＣを識別することができるため、ＰＣと接続した時のセキュリティ機能を向上することができる。
【００３７】
また、無線携帯端末１０の正規のユーザ以外の第三者が自分のＰＣの個体番号をデータベース３０に登録しようとしても、データベース３０へのアクセスを不許可とするので、接続可能なＰＣのデータベース３０への追加登録を防ぐことができる。
【００３８】
なお、無線携帯端末１０とＰＣ２０との接続方法は、有線以外の近距離無線通信（例えば、ブルーツース等）などでも可能である。
【符号の説明】
【００３９】
１０  無線携帯端末
１１  制御部
１２  無線部
１３  入力部
１４  表示部
１５  データベース部
２０  パーソナルコンピュータ（ＰＣ）
３０  データベース
４０  有線ケーブル
【図１】
2010177721.tif 000003
【図２】
2010177721.tif 000004
【図３】
2010177721.tif 000005
【図４】
2010177721.tif 000006